(57)【要約】【課題】照明装置からの無線通信モジュールの落下及び盗難を防止すること。【解決手段】実施形態の照明装置は、筐体と、光源と、蓄電池と、電源と、接続用端子と、蓋と、を具備する。筐体は、内部空間を有する。光源は、筐体に設けられる。蓄電池は、筐体の内部空間に着脱可能である。電源は、筐体の内部空間に設けられ、光源の点灯動作或いは蓄電池への充放電動作を行う。接続用端子は、少なくとも外部装置と無線通信を行う無線通信モジュールが筐体の内部空間に挿入された場合に、無線通信モジュールを電源に接続する。蓋は、接続用端子を覆うように筐体に設けられる。【選択図】図１Ａ
2018120730.tif 000002
【特許請求の範囲】
【請求項１】
内部空間を有する筐体と；
前記筐体に設けられる光源と；
前記筐体の内部空間に着脱可能である蓄電池と；
前記筐体の内部空間に設けられ、前記光源の点灯動作或いは前記蓄電池への充放電動作を行う電源と；
少なくとも外部装置と無線通信を行う無線通信モジュールが前記筐体の内部空間に挿入された場合に、前記無線通信モジュールを前記電源に接続する接続用端子と；
前記接続用端子を覆うように前記筐体に設けられた蓋と；
を具備する照明装置。
【請求項２】
前記筐体は、一方の底面が開口した筒状であり、
前記光源は、前記筐体の内部空間であって前記開口から光を発する位置に配置され、
前記蓄電池は、前記開口から前記筐体の内部空間に着脱可能であって、前記筐体の内部空間への装着時には前記筐体の内部空間の一部領域に配置され、
前記電源は、前記筐体の内部空間の一部領域以外の他の領域に配置され、
前記接続用端子は、前記無線通信モジュールが前記開口から前記筐体の内部空間に挿入された場合に、前記無線通信モジュールを前記電源に接続し、
前記蓋は、前記開口を覆う請求項１に記載の照明装置。
【請求項３】
前記筐体の内部空間の他の領域に、前記無線通信モジュールを収容可能である収容スペースが形成される請求項２に記載の照明装置。
【請求項４】
前記蓋は、前記筐体の内部空間に装着された前記無線通信モジュールの一部が観察可能である貫通孔が形成される請求項１〜３のいずれか一つに記載の照明装置。
【請求項５】
前記無線通信モジュールは、前記筐体の内部空間への装着時に、前記無線通信モジュールのアンテナ部が前記貫通孔から外部に突出する請求項４に記載の照明装置。
【請求項６】
前記電源は、前記接続用端子を有し、前記収容スペースが形成される請求項３〜５のいずれか一つに記載の照明装置。
【請求項７】
前記電源は、前記開口側の面上に、所定の処理の実行の有無を示すモニタを有し、
前記無線通信モジュールは、前記筐体の内部空間の装着時には、前記モニタの周辺に位置する請求項２〜６のいずれか一つに記載の照明装置。
【発明の詳細な説明】
【技術分野】
【０００１】
本発明の実施形態は、照明装置に関する。
【背景技術】
【０００２】
従来、非常時に非常用電源を用いて点灯する非常用の照明装置や避難経路等への誘導のために点灯する誘導用の照明装置が提供されている。そして、近年、これらの照明装置の点検作業を容易化するために、照明装置に、外部装置と無線通信が可能である無線通信モジュールを着脱可能にした構成も提案されている。
【０００３】
ところで、非常用照明装置に、無線通信モジュールが着脱可能である構成にした場合、施工不良による無線通信モジュールの落下や、無線通信モジュールの盗難などのおそれが考えられる。
【先行技術文献】
【特許文献】
【０００４】
【特許文献１】特開２００４−１８５９７８号公報
【発明の概要】
【発明が解決しようとする課題】
【０００５】
本発明が解決しようとする課題は、照明装置からの無線通信モジュールの落下及び盗難を防止することができる照明装置を提供することである。
【課題を解決するための手段】
【０００６】
本実施形態に係る照明装置は、筐体と、光源と、蓄電池と、電源と、接続用端子と、蓋と、を具備する。筐体は、内部空間を有する。光源は、筐体に設けられる。蓄電池は、筐体の内部空間に着脱可能である。電源は、筐体の内部空間に設けられ、光源の点灯動作或いは蓄電池への充放電動作を行う。接続用端子は、少なくとも外部装置と無線通信を行う無線通信モジュールが筐体の内部空間に挿入された場合に、無線通信モジュールを電源に接続する。蓋は、接続用端子を覆うように筐体に設けられる。
【発明の効果】
【０００７】
本発明によれば、照明装置からの無線通信モジュールの落下及び盗難を防止することができる。
【図面の簡単な説明】
【０００８】
【図１Ａ】図１Ａは、実施形態に係る照明装置の構造例を示す図である。
【図１Ｂ】図１Ｂは、実施形態に係る照明装置の構造例を示す図である。
【図２】図２は、図１のＡ−Ａ線断面図である。
【図３】図３は、実施形態に係る照明装置の構成を示す図である。
【図４】図４は、実施形態に係る照明装置の構成を示す図である。
【図５】図５は、実施形態に係る照明装置の組立方法の一例を説明する図である。
【図６】図６は、実施形態に係る照明装置の組立方法の一例を説明する図である。
【図７】図７は、実施形態に係る照明装置の組立方法の一例を説明する図である。
【図８】図８は、実施形態の変形例１について説明する図である。
【図９】図９は、図８のＢ−Ｂ線断面図である。
【図１０】図１０は、実施形態の変形例２に係る照明装置の構成を示す図である。
【図１１】図１１は、実施形態の変形例３について説明する図である。
【図１２】図１２は、実施形態の変形例４に係る照明装置の構造について説明する図である。
【図１３】図１３は、実施形態の変形例４に係る照明装置の他の構造を示す図である。
【発明を実施するための形態】
【０００９】
以下で説明する実施形態に係る照明装置１０は、筐体２と、光源３と、蓄電池４と、電源５と、接続用端子５１と、蓋７と、を具備する。筐体２は、内部空間を有する。光源３は、筐体２に設けられる。蓄電池４は、筐体２の内部空間に着脱可能である。電源５は、筐体２の内部空間に設けられ、光源３の点灯動作或いは蓄電池４への充放電動作を行う。接続用端子５１は、少なくとも外部装置と無線通信を行う多機能モジュール６（無線通信モジュール）が筐体２の内部空間に挿入された場合に、多機能モジュール６を電源５に接続する。蓋７は、接続用端子５１を覆うように筐体２に設けられる。
【００１０】
また、以下で説明する実施形態に係る筐体２は、一方の底面が開口した筒状である。光源３は、筐体２の内部空間であって開口２１から光を発する位置に配置される。蓄電池４は、開口２１から筐体２の内部空間に着脱可能であって、筐体２の内部空間への装着時には筐体２の内部空間の一部領域に配置される。電源５は、筐体２の内部空間の一部領域以外の他の領域に配置される。接続用端子５１は、少なくとも外部装置と無線通信を行う多機能モジュール６が開口２１から筐体２の内部空間に挿入された場合に、多機能モジュール６を電源５に接続する。蓋７は、筐体２の開口２１を覆う。
【００１１】
また、以下で説明する実施形態に係る照明装置１０は、筐体２の内部空間の他の領域に、多機能モジュール６を収容可能である収容スペース５２が形成される。
【００１２】
また、以下で説明する実施形態に係る蓋７は、筐体２の内部空間に装着された多機能モジュール６の一部が観察可能である貫通孔７２が形成される。
【００１３】
また、以下で説明する実施形態に係る多機能モジュール６は、筐体２の内部空間への装着時に、多機能モジュール６のアンテナ部６２が貫通孔７２から外部に突出する。
【００１４】
また、以下で説明する実施形態に係る電源５は、接続用端子５１を有し、収容スペース５２が形成される。
【００１５】
また、以下で説明する実施形態に係る電源５は、開口側の面上に、所定の処理の実行の有無を示すモニタ８を有し、多機能モジュール６は、筐体２の内部空間の装着時には、モニタ８の周辺に位置する。
【００１６】
以下、図面を参照して、実施形態に係る照明装置を説明する。実施形態において同一の部位には同一の符号を付し、重複する説明は省略される。
【００１７】
［実施形態］
［照明装置の構造］
図１Ａ及び図１Ｂは、実施形態に係る照明装置の構造例を示す図である。図１Ａは、実施形態に係る照明装置の側面図である。図１Ｂは、実施形態に係る照明装置の下面図である。図２は、図１のＡ−Ａ線断面図である。
【００１８】
図１及び図２に示すように、実施形態に係る照明装置１０は、筐体２と、光源３と、蓄電池４と、電源５と、接続用端子５１と、蓋７と、を具備する。そして、照明装置１０には、少なくとも外部装置と無線通信を行う多機能モジュール６が、照明装置１０の内部に後付け可能である。なお、照明装置１０は、外部電源（不図示）による電力供給が停止した場合に点灯する非常用照明装置、或いは、避難経路への誘導のために常時点灯する誘導用照明装置であってもよい。
【００１９】
筐体２は、内部空間を有し、一方の底面が開口した筒状である。図１及び図２では、筐体２の底面のうち下底面が開口した例について示す。筐体２は、例えば、金属材料によって形成される。多機能モジュール６（後述）は、筐体２の開口から筐体２の内部空間に装着可能である。なお、本実施形態では、筐体２が円筒である場合を例に説明するが、もちろん、筐体２は、角筒であってもよい。
【００２０】
光源３は、筐体２に設けられる。光源３は、筐体２の内部空間であって開口から光を発する位置に配置される。具体的には、光源３は、筐体２の開口の中心付近に配置される（図１の（Ｂ）参照）。光源３は、例えば、ＬＥＤ（Light  Emitting  Diode）である。
【００２１】
蓄電池４は、筐体の内部空間に着脱可能である。蓄電池４は、外部電源による電力供給が停止した場合、すなわち、非常時には、照明装置１０に電力供給を行う二次電池である。蓄電池４は、外部電源による電力供給がある場合、すなわち、通常時には、電源５（後述）を介して充電可能である。蓄電池４は、筐体２の開口から筐体２の内部空間に着脱可能である。蓄電池４は、筐体２の内部空間への装着時には筐体２の内部空間の一部領域に配置される。具体的には、蓄電池４は、筐体２の内部空間への装着時には、開口から筐体２の内部空間を見た場合に、筐体２の内部空間を略２分割した一方の領域に配置される（図１の（Ｂ）参照）。図１及び図２では、蓄電池４は、筐体２の内部空間のうち右側領域に配置される。
【００２２】
電源５は、筐体２の内部空間に設けられ、光源３の点灯動作或いは蓄電池４への充放電動作を行う。電源５は、外部電源及び蓄電池４と接続し、光源３の点灯動作或いは蓄電池４に対する充放電動作を行う。光源３は、電源５（後述）の点灯動作にしたがって光を発する。電源５は、筐体２の内部空間の一部領域以外の他の領域に配置される。具体的には、電源５は、筐体２の内部空間を略２分割した他方の領域に配置される（図１の（Ｂ）参照）。図１及び図２では、電源５は、筐体２の内部空間のうち左側領域に配置される。
【００２３】
電源５は、多機能モジュール６を収容可能である収容スペース５２（図２参照）が形成されるとともに、収容スペース５２に収容された多機能モジュール６と接続する接続用端子５１（後述）を有する。この収容スペース５２は、多機能モジュール６の本体部６１（後述）の一部を収容できる大きさである。そして、電源５は、接続用端子５１を介して、接続用端子５１に接続する多機能モジュール６に電力を供給するとともに、多機能モジュール６の動作を制御する。なお、多機能モジュール６は、接続用端子５１を介して、電源５における点灯動作部分或いは充放電動作部分のいずれか、或いは、その双方に接続されてもよい。
【００２４】
また、電源５は、筐体２の開口側の面５０（図１の（Ｂ）参照）に、所定の処理の実行の有無を示すモニタ８（後述）を有する。電源５は、モニタ８の動作を制御する。なお、本実施形態では、光源３及び電源５は、筐体２内部に予め組み付けられている例について説明するが、もちろん、これに限らない。また、本実施形態では、光源３、蓄電池４及び電源５の形状を簡略化して図示する。
【００２５】
接続用端子５１は、多機能モジュール６が筐体２の内部空間に挿入された場合に、多機能モジュール６を電源５に接続する。接続用端子５１は、多機能モジュール６が開口から筐体２の内部空間に挿入された場合に、多機能モジュール６を電源５に接続するコネクタである。接続用端子５１は、多機能モジュール６の接続規格に応じた規格のコネクタであれば足りる。例えば、多機能モジュール６の接続規格がＵＳＢである場合には、接続用端子５１は、ＵＳＢポートである。
【００２６】
多機能モジュール６は、通信データを処理する信号処理回路及びメモリ等を有する本体部６１と、無線信号を送受信するアンテナ部６２と、を有する。多機能モジュール６は、筐体２の内部空間の装着時、すなわち、電源５の収容スペース５２の装着時には、モニタ８の周辺に位置する（図１の（Ｂ）参照）。
【００２７】
多機能モジュール６は、外部装置と、例えば、ＢＬＥ（Bluetooth（登録商標）  Low  Energy）の規格にしたがった通信方式で無線通信を行う。また、多機能モジュール６は、他の多機能モジュール６との間でも無線通信が可能であり、例えば、ZigBee（登録商標）の規格にしたがった通信方式で無線通信を行う。
【００２８】
多機能モジュール６は、照明装置１０の点検結果を外部装置に無線送信する。例えば、
多機能モジュール６は、電源５の電圧、電流、温度、放電時間及び放電回数を検知することにより照明装置１０の点検を行い、照明装置ＩＤ（identification）と、点検日時と、検知した電圧、電流、温度、放電時間及び放電回数とを互いに対応付けた点検データを、外部装置に送信する。また、例えば、多機能モジュール６は、短時間点検において、所定短時間（例えば１５秒程度）の間、蓄電池４から供給される電力を用いて光源３を点灯させ、点灯前後において、蓄電池４が供給する電圧や電流の値を点検データとして送信してもよい。
【００２９】
また、多機能モジュール６は、点検結果の送信を行う機能以外にも、例えば人感センサや画像センサ等の各種センサ機能を有し、通常時に外部電源から電力の供給を受けるのであれば、通常時には、センサでの検出結果を点検結果に併せて送信してもよい。また、多機能モジュール６は、非常時に蓄電池４から電力の供給を受ける場合には、非常時にも、センサでの検出結果を点検結果に併せて送信してもよい。
【００３０】
蓋７は、接続用端子５１を覆うように筐体２に設けられる。蓋７は、筐体２の開口を覆う。蓋７は、例えば、金属材料によって円盤形状に形成される。蓋７は、光源用窓７１、筐体２の内部空間に装着された多機能モジュール６の一部が観察可能である貫通孔７２、及び、モニタ８（後述）との対向位置に設けられたモニタ観察用のモニタ用窓７３が形成される。光源用窓７１は、光源３による照明光を外部に出力できるように、光源３の位置に合わせて蓋７の中央に設けられる。
【００３１】
貫通孔７２は、収容スペース５２内に収容された多機能モジュール６を下方から観察可能にする。貫通孔７２は、多機能モジュール６の本体部６１と対向し、アンテナ部６２が挿通可能となる位置に形成される。貫通孔７２の位置は、収容スペース５２の直下である。そして、貫通孔７２の直径は、開口から筐体２の内部空間を見た場合における多機能モジュール６の本体部６１の長手方向の幅よりも小さく、アンテナ部６２の長手方向の幅よりも大きい。このように、多機能モジュール６が、筐体２の内部空間への装着時に、アンテナ部６２が貫通孔７２から外部に突出するように、収容スペース５２、貫通孔７２の大きさ及び位置が設定される。
【００３２】
モニタ８は、点検モニタ、充電モニタ、及び、ランプモニタ等の各種のモニタである。また、モニタ８は、多機能モジュール６が正しく接続されているかを検出するモニタであってもよい。モニタ８は、モニタ内容に応じた点灯処理を行う。
【００３３】
［照明装置の構成］
図３及び図４は、実施形態に係る照明装置１０の構成を示す図である。図３に示すように、照明装置１０は、外部電源１００と、電源５とが接続する。電源５は、光源３、蓄電池４、多機能モジュール６及びモニタ８と接続する。電源５は、蓄電池４に対する充電動作及び放電動作を制御する充電回路／放電回路５３、光源３の点灯動作を制御する光源回路５４、及び、多機能モジュール６とモニタ８との動作処理を制御する多機能回路５５を有する。
【００３４】
図３を参照して、通常時における照明装置１０における電力供給の流れについて説明する。照明装置１０が誘導用照明装置である場合には、通常時、電源５では、光源３点灯のために、光源回路５４が、外部電源１００から供給された電力（図３の矢印Ｙ１参照）を、光源３に供給する（図３の矢印Ｙ２，Ｙ３参照）。そして、電源５では、通信やモニタ実施のために、多機能回路５５が、多機能モジュール６及びモニタ８に電力を供給する（図３の矢印Ｙ４，Ｙ５，Ｙ６参照）。そして、電源５では、充電回路／放電回路５３が、蓄電池４に電力を供給し（図３の矢印Ｙ７参照）、蓄電池４の充電を行う。なお、照明装置１０が非常用照明装置である場合、通常時は消灯するため、光源回路５４は、光源３への電力供給を行わない。
【００３５】
図４を参照して、例えば災害等の発生によって外部電源１００が喪失した場合等の非常時における照明装置１０の電力供給の流れについて説明する。この場合、外部電源１００からの電力供給が停止するため、電源５では、充電回路／放電回路５３が、蓄電池４に放電処理を実行させることによって、蓄電池４から電力の供給を受ける（図４の矢印Ｙ１１参照）。そして、照明装置１０が誘導用照明装置或いは非常用照明装置のいずれである場合も、光源回路５４が、蓄電池４による電力を光源３に供給して（図４の矢印Ｙ１２，Ｙ１３参照）、光源３を点灯させる。そして、電源５では、点検処理や外部装置との通信処理のために、多機能回路５５が、多機能モジュール６及びモニタ８に、蓄電池４による電力を供給する（図４の矢印Ｙ１４，Ｙ１５，Ｙ１６参照）。
【００３６】
［照明装置の組立］
次に、照明装置１０の組立方法について説明する。図５〜図７は、本実施形態に係る照明装置１０の組立方法の一例を説明する図である。図５〜図７は、図１の（Ｂ）に示すＡ−Ａ線を用いて、組み立て途中の照明装置１０を切断した断面図である。
【００３７】
図５に示すように、本組み立て例では、筐体２内部に、光源３及び電源５が予め組み付けられている。続いて、図６の矢印Ｙａに示すように、筐体２内部のうち電源５が配置されていない右側の領域に、筐体２の開口２１を介して下方から蓄電池４が装着される。そして、図７の矢印Ｙｂに示すように、多機能モジュール６が、筐体２の開口２１を介して下方から電源５の収容スペース５２に挿入され、接続用端子５１に接続する。続いて、図７の矢印Ｙｃに示すように、筐体２の開口２１を、蓋７で塞ぎ、照明装置１０の組み立てを完了する。
【００３８】
［実施形態の効果］
本実施形態に係る照明装置１０は、筐体２の開口から多機能モジュール６を筐体２の内部に装着している。筐体２の内部の電源５には、予め、開口から筐体２の内部に挿入した多機能モジュール６を収容するための収容スペース５２が設けられているため、本実施形態に係る照明装置１０によれば、多機能モジュール６を、筐体２の開口から容易に装着することができる。
【００３９】
また、本実施形態に係る照明装置１０は、多機能モジュール６の装着後に、筐体２の開口に蓋７を取り付けて開口を塞ぐため、多機能モジュール６が施工不良で外れた場合であっても、多機能モジュール６が蓋７に引っかかり、多機能モジュール６が落下することがない。また、本実施形態に係る照明装置１０は、多機能モジュール６の装着後に筐体２の開口に蓋７を取り付けており、蓋７を外さなければ多機能モジュール６を取り外せない構造となっているため、多機能モジュール６の盗難防止も図ることができる。
【００４０】
そして、本実施形態に係る照明装置１０は、着脱可能である蓄電池４が配置する領域以外、すなわち、電源５に多機能モジュール６を収容可能である収容スペース５２を設けている。言い換えると、本実施形態に係る照明装置１０は、交換部品である蓄電池４ではなく、筐体２の内部に組み付けられている電源５に収容スペース５２を設けている。このように、本実施形態に係る照明装置１０は、部品交換がない場所に多機能モジュール６の収容スペース５２を設けて、蓄電池４の交換を阻害しない構成としている。
【００４１】
そして、本実施形態に係る照明装置１０は、多機能モジュール６専用の接続用端子５１を設け、照明装置１０が該接続用端子５１を介して多機能モジュール６への電力供給を行っている。したがって、本実施形態に係る照明装置１０は、照明装置１０から多機能モジュール６へ給電することによって、給電用の専用設備や内部電池を設ける必要がなく、簡易に普及を図ることができる。また、本実施形態に係る照明装置１０は、接続用端子５１の規格は、多機能モジュール６の接続規格に対応すれば足りるため、汎用性の高い規格のコネクタを採用可能であることから、容易に電力供給が可能である。
【００４２】
さらに、本実施形態に係る照明装置１０は、電源５に、接続用端子５１及び収容スペース５２を設けているため、多機能モジュール６は、電力供給先の電源５に直接接続できる。このため、本実施形態に係る照明装置１０は、電源５と多機能モジュール６との接続用配線も簡易化できる。
【００４３】
そして、本実施形態に係る照明装置１０は、多機能モジュール６が、筐体２の内部空間の装着時にはモニタ８の周辺に位置するように、収容スペース５２の位置が設定されている。さらに、本実施形態に係る照明装置１０は、電源５内の多機能回路５５を介して、多機能モジュール６及びモニタ８の動作が制御されている構成である。このため、本実施形態に係る照明装置１０は、多機能回路５５の制御対象を近接した位置に配置することによって、接続用配線を簡易化できる。
【００４４】
また、本実施形態に係る照明装置１０は、蓋７に、筐体２の内部空間に装着された多機能モジュール６の一部が観察可能である貫通孔７２が設けられている。本実施形態に係る照明装置１０は、筐体２と蓋７が金属材料によって形成されるが、蓋７に設けられた貫通孔７２によって、電波の送受信の感度を保持することができる。また、本実施形態に係る照明装置１０は、多機能モジュール６の一部が、貫通孔７２を介して観察できるため、照明装置１０の点検者は、蓋７の取り外しを行うことなく、多機能モジュール６の着脱の有無の確認ができ、視認性（デザイン性）を向上できる。一方、本実施形態に係る照明装置１０は、多機能モジュール６の一部しか見えない構成としているため、盗難者では多機能モジュール６を発見しにくく、盗難防止にもなる。
【００４５】
また、本実施形態に係る照明装置１０は、筐体２の内部空間への多機能モジュール６の装着時に、多機能モジュール６のアンテナ部６２が貫通孔７２から外部に突出するように、収容スペース５２及び貫通孔７２の位置や大きさを設定している。このため、照明装置１０は、多機能モジュール６のアンテナ部６２に対する電波の送受信の感度を十分に保持することができる。
【００４６】
［変形例１］
次に、本実施形態の変形例１について説明する。図８は、本実施形態の変形例１について説明する図である。図８は、本実施形態の変形例１に係る蓋の下面図である。図９は、図８のＢ−Ｂ線断面図である。
【００４７】
図８及び図９に示すように、多機能モジュール６を照明装置１０に取り付けない場合、蓋７の貫通孔７２をキャップ９で塞いでから、筐体２の開口を蓋７で塞いでもよい。キャップ９は、貫通孔７２に着脱可能である。キャップ９は、図９に示すように、筐体２の内部側の上面９Ａが、外側の下面９Ｂよりも大きいＴ字型の断面形状を有し、下方に落下しないようになっている。このように、多機能モジュール６を装着しない場合には、キャップ９で貫通孔７２を塞ぐことによって、貫通孔７２を介する埃や虫の筐体２内部への侵入を防止することができる。
【００４８】
［変形例２］
図１０は、本実施形態の変形例２に係る照明装置の構成を示す図である。図１０に示すように、本実施形態の変形例２に係る照明装置１０Ａの電源５Ａは、多機能回路５５への電力供給が切り替え可能である切替回路５６をさらに有する。
【００４９】
切替回路５６は、例えば、通常時には、多機能回路５５への電力供給を行い、非常時には、多機能回路５５への電力供給を停止する動作を行う。すなわち、切替回路５６は、充電回路／放電回路５３が、蓄電池４に放電処理を実行させている場合には、多機能モジュール６及びモニタ８への電力の供給を停止する。言い換えると、切替回路５６は、多機能モジュール６及びモニタ８が消費する電力量を抑制して、非常時における非常用照明装置、或いは、誘導用照明装置の点灯処理を優先させる。
【００５０】
また、切替回路５６は、非常時には、多機能回路５５への電力供給量を通常時よりも少なくすることによって、或いは、多機能回路５５への電力供給を間欠的に行うことによって、多機能モジュール６及びモニタ８が消費する電力量を抑制してもよい。
【００５１】
［変形例３］
次に、本実施形態の変形例３について説明する。図１１は、本実施形態の変形例３について説明する図である。図１１は、本実施形態の変形例３に係る照明装置１０Ｂの下面図である。図１１に示すように、照明装置１０Ｂでは、蓋７Ｂに示すように、多機能モジュール６用の貫通孔７２Ｂを、モニタ用窓と兼ねた構成としてもよい。この構成の場合、点検者は、一つの貫通孔７２Ｂを確認するだけで、多機能モジュール６の着脱の有無と各モニタ８のモニタリング状態との双方を認識することができる。
【００５２】
［変形例４］
次に、本実施形態の変形例４について説明する。図１２は、本実施形態の変形例４に係る照明装置の構造について説明する図である。図１２は、図２と同様に、本実施形態の変形例４に係る照明装置を下方から見た場合に、多機能モジュール、光源、及び蓄電池を通る線で照明装置１０Ｃを切断した場合の断面図である。図１２に示す照明装置１０Ｃのように、後付けする多機能モジュール６全体が、電源５Ｃ内に配置するように、収容スペース５２Ｃの大きさが設定されていてもよい。
【００５３】
この場合も、多機能モジュール６の収容スペース５２Ｃへの装着後に蓋７で筐体２の開口を塞ぐため、多機能モジュール６の落下及び盗難の防止を図ることができる。また、照明装置１０Ｃにおいても、蓋７の貫通孔７２を介して、多機能モジュール６の着脱の有無の確認が可能である。また、照明装置１０Ｃにおいても、貫通孔７２を設けているため、多機能モジュール６の通信感度も保持できる。
【００５４】
図１３は、実施形態の変形例４に係る照明装置の他の構造を示す図である。図１３の照明装置１０Ｄに示すように、多機能モジュール６は、筐体２Ｄの側面に設けられた開口２１Ｄを介して、筐体２Ｄ内部に装着されてもよい。
【００５５】
この場合も、多機能モジュール６の筐体２Ｄ内への装着時に、多機能モジュール６のアンテナ部６２が、開口２１Ｄから外部に突出するように、電源５Ｄの収容スペース５２Ｄの大きさや位置、及び、接続用端子５１の位置を設定する。これによって、多機能モジュール６での無線通信感度を保持することができる。なお、図１３に示す構成の場合には、蓋７Ｄに貫通孔７２を形成する必要はない。
【００５６】
なお、後付けの多機能モジュール６には、点検モニタ、充電モニタ、及び、ランプモニタ等の各種のモニタが付加されてもよい。これらのモニタは、点検者が、貫通孔７２を介してモニタ観察が可能となるように、多機能モジュール６の下部に配置される。また、多機能モジュール６に、モニタとして、多機能モジュール６が正しく接続されているかを検出するモニタが付加されてもよい。
【００５７】
また、多機能モジュール６のアンテナを紐状にし、その紐状のアンテナの先端を貫通孔７２から突出させるようにして、多機能モジュール６の電波の送受信の感度をさらに高めてもよい。また、紐状のアンテナが、照明装置１０の点検動作の起動スイッチを兼ね、紐状のアンテナが引っ張られることにより照明装置１０が点検動作を開始してもよい。なお、多機能モジュール６のアンテナの形状は、紐状に限定されない。すなわち、多機能モジュール６のアンテナが引っ張られることにより、照明装置１０の点検動作が起動されるとともに、アンテナの先端またはアンテナの所定の範囲が貫通孔７２から照明装置１０の筐体２の外部へと露出することで、無線通信に用いる電波の伝播強度を向上させることができるのであれば、アンテナの形状については、任意の形状が採用可能である。
【００５８】
また、本実施形態では、一方が開口した有底の筒状の筐体２の内部に各構成部材を配置した後に、略円盤状の蓋７で開口２１を塞ぐ構成の照明装置１０を例に説明したが、もちろん、この構成に限ることはない。例えば、実施形態に係る照明装置は、略円盤状の筐体上に、光源、電源、蓄電池を配置し、筐体の内部空間に挿入した多機能モジュールを接続用端子に接続した後に、筒状の蓋を円盤状の筐体に取り付けて各構成部材を覆う構成であってもよい。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
２，２Ｄ  筐体
３  光源
４  蓄電池
５，５Ａ，５Ｃ，５Ｄ  電源
６  多機能モジュール
７，７Ｂ，７Ｄ  蓋
８  モニタ
９  キャップ
１０，１０Ａ，１０Ｂ，１０Ｃ，１０Ｄ  照明装置
２１Ｄ  開口
５１  接続用端子
５２，５２Ｃ，５２Ｄ  収容スペース
５３  充電回路／放電回路
５４  光源回路
５５  多機能回路
５６  切替回路
６１  本体部
６２  アンテナ部
７１  光源用窓
７２，７２Ｂ  貫通孔
７３  モニタ用窓
１００  外部電源
【図１Ａ】
2018120730.tif 000003
【図１Ｂ】
2018120730.tif 000004
【図２】
2018120730.tif 000005
【図３】
2018120730.tif 000006
【図４】
2018120730.tif 000007
【図５】
2018120730.tif 000008
【図６】
2018120730.tif 000009
【図７】
2018120730.tif 000010
【図８】
2018120730.tif 000011
【図９】
2018120730.tif 000012
【図１０】
2018120730.tif 000013
【図１１】
2018120730.tif 000014
【図１２】
2018120730.tif 000015
【図１３】
2018120730.tif 000016